(57)【特許請求の範囲】
【請求項１】
撮影画像データを記録する記録媒体と、前記撮影画像データを表示する表示部とを備える機器に搭載され、前記記録媒体に記録された撮影画像データを管理する画像管理装置であって、
前記撮影画像データの中から画像管理用の撮影画像データを選択する選択手段と、
前記選択手段によって画像管理用の撮影画像データとして選択された管理用画像データから所定の領域を指定する領域指定手段と、
前記領域指定手段によって指定された領域を特定するための領域特定情報を生成する領域特定情報生成手段と、
前記領域特定情報を前記管理用画像データと対応付けて記録する第一の記録手段と、
前記管理用画像データ以外の任意の撮影画像データに、指定された前記領域特定情報を対応付けて記録する第二の記録手段と、
前記記録媒体に記録された撮影画像データに基づく画像を前記表示部に表示させる制御を行う制御手段と、を備え、
前記制御手段が、前記表示部で表示中の画像が前記管理用画像データ以外の撮影画像データに基づく画像であり、且つ、該撮影画像データに前記領域特定情報が対応付けられており、且つ、該領域特定情報に対応する前記管理用画像データに基づく画像の表示指示がなされた場合に、該管理用画像データに基づく画像の該領域特定情報で特定される領域を強調した画像を前記表示部に表示させる画像管理装置。
【請求項２】
請求項１記載の画像管理装置であって、
前記制御手段が、前記表示部に表示中の画像が前記管理用画像データに基づく画像であり、且つ、該管理用画像データに対応付けられている前記領域特定情報のいずれかが指定された場合に、該指定された領域特定情報が対応付けられている前記任意の撮影画像データに基づく画像を前記表示部に表示させる画像管理装置。
【請求項３】
請求項１または２に記載の画像管理装置であって、
前記管理用画像データを、該管理用画像データに基づいて複数の領域に分割する領域分割手段を備え、
前記領域指定手段が、前記領域分割手段によって分割された前記複数の領域から選択された領域を、前記所定の領域として指定する画像管理装置。
【請求項４】
請求項３記載の画像管理装置であって、
前記領域分割手段が、前記管理用画像データに基づく画像に含まれる色を認識し、該色にしたがって前記管理用画像データを領域分割する画像管理装置。
【請求項５】
請求項３記載の画像管理装置であって、
前記領域分割手段が、前記管理用画像データに基づく画像のエッジを認識し、該エッジにしたがって前記管理用画像データを領域分割する画像管理装置。
【請求項６】
記録媒体に記録された撮影画像データを管理する画像管理方法であって、
画像管理用の撮影画像データとして指定された管理用画像データから所定の領域を指定する領域指定ステップと、
前記領域指定手段によって指定された領域を特定するための領域特定情報を生成する領域特定情報生成ステップと、
前記領域特定情報を前記管理用画像データと対応付けて記録する第一の記録ステップと、
前記管理用画像データ以外の任意の撮影画像データに、指定された前記領域特定情報を対応付けて記録する第二の記録ステップと、
前記記録媒体に記録された撮影画像データに基づく画像を表示部に表示させる制御を行う制御ステップと、を備え、
前記制御ステップでは、前記表示部で表示中の画像が前記管理用画像データ以外の撮影画像データに基づく画像であり、且つ、該撮影画像データに前記領域特定情報が対応付けられており、且つ、該領域特定情報に対応する前記管理用画像データに基づく画像の表示指示がなされた場合に、該管理用画像データに基づく画像の該領域特定情報で特定される領域を強調した画像を前記表示部に表示させる画像管理方法。
【請求項７】
請求項６記載の画像管理方法であって、
前記制御ステップでは、前記表示部に表示中の画像が前記管理用画像データに基づく画像であり、且つ、該管理用画像データに対応付けられている前記領域特定情報のいずれかが指定された場合に、該指定された領域特定情報が対応付けられている前記任意の撮影画像データに基づく画像を前記表示部に表示させる画像管理方法。
【請求項８】
請求項６または７記載の画像管理方法であって、
前記管理用画像データを、該管理用画像データに基づいて複数の領域に分割する領域分割ステップを備え、
前記領域指定ステップでは、前記領域分割ステップによって分割された前記複数の領域から選択された領域を、前記所定の領域として指定する画像管理方法。
【請求項９】
請求項８記載の画像管理方法であって、
前記領域分割ステップでは、前記管理用画像データに基づく画像に含まれる色を認識し、該色にしたがって前記管理用画像データを領域分割する画像管理方法。
【請求項１０】
請求項８記載の画像管理方法であって、
前記領域分割ステップでは、前記管理用画像データに基づく画像のエッジを認識し、該エッジにしたがって前記管理用画像データを領域分割する画像管理方法。
【発明の詳細な説明】
【技術分野】
【０００１】
本発明は、記録媒体に記録された撮影画像データを管理する画像管理装置に関する。
【背景技術】
【０００２】
近年、記録メディアの大容量化が進んでおり、デジタルカメラで撮影して記録メディアに記録しておくことのできる撮影画像データの数も多くなってきている。このため、この大量の撮影画像データを効率良く管理できる仕組みが必要とされている。
【０００３】
特許文献１には、撮影画像データに対応付けて記録されている属性情報（撮影位置情報）を、予め用意されている属性画像データ（地図データ）上にマッピングした管理用画像データを生成し、この管理用画像データから任意の領域が指定されると、その領域内にマッピングされている属性情報に対応する撮影画像データをスライドショーで再生するデジタルカメラが開示されている。このデジタルカメラによれば、撮影画像データが大量にあった場合でも、管理用画像データ上で領域を指定するだけで、所望の撮影画像データを簡単に確認することができる。
【０００４】
【特許文献１】特開２００７−１５８６０３号公報
【発明の開示】
【発明が解決しようとする課題】
【０００５】
しかし、特許文献１に開示された発明は、属性画像データを予め用意しておく必要がある。属性画像データは、万人に共通のものであれば予め用意しておくことは可能であるが、実際にはそうではない。
【０００６】
例えば、タンスのどの段にどのような服がしまってあるのかを画像で管理しようとした場合、属性画像データとしてタンスの画像を用意しておき、服を撮影して得られる撮影画像データの属性情報を、該画像上の該服が入っているタンスの段にマッピングしておくことが考えられる。又、下駄箱にある各靴箱にどのような靴がしまってあるのかを画像で管理しようとした場合、属性画像データとして下駄箱内の画像を用意しておき、靴を撮影して得られる撮影画像データの属性情報を、該画像上の該靴が入っている靴箱にマッピングしておくことが考えられる。
【０００７】
このような場合、タンスや下駄箱は、全てのユーザに共通のものではないため、全てのユーザの要望に応えるためには、世の中に存在する全てのタンスや下駄箱の画像を用意しておく必要があり、現実的ではない。
【０００８】
本発明は、上記事情に鑑みてなされたものであり、大きなデータベースを持つことなく画像データを効率よく管理することが可能な画像管理装置を提供することを目的とする。
【課題を解決するための手段】
【０００９】
本発明の画像管理装置は、撮影画像データを記録する記録媒体と、前記撮影画像データを表示する表示部とを備える機器に搭載され、前記記録媒体に記録された撮影画像データを管理する画像管理装置であって、前記撮影画像データの中から画像管理用の撮影画像データを選択する選択手段と、前記選択手段によって画像管理用の撮影画像データとして選択された管理用画像データから所定の領域を指定する領域指定手段と、前記領域指定手段によって指定された領域を特定するための領域特定情報を生成する領域特定情報生成手段と、前記領域特定情報を前記管理用画像データと対応付けて記録する第一の記録手段と、前記管理用画像データ以外の任意の撮影画像データに、指定された前記領域特定情報を対応付けて記録する第二の記録手段と、前記記録媒体に記録された撮影画像データに基づく画像を前記表示部に表示させる制御を行う制御手段と、を備え、前記制御手段が、前記表示部で表示中の画像が前記管理用画像データ以外の撮影画像データに基づく画像であり、且つ、該撮影画像データに前記領域特定情報が対応付けられており、且つ、該領域特定情報に対応する前記管理用画像データに基づく画像の表示指示がなされた場合に、該管理用画像データに基づく画像の該領域特定情報で特定される領域を強調した画像を前記表示部に表示させる。
【００１０】
本発明の画像管理装置は、前記制御手段が、前記表示部に表示中の画像が前記管理用画像データに基づく画像であり、且つ、該管理用画像データに対応付けられている前記領域特定情報のいずれかが指定された場合に、該指定された領域特定情報が対応付けられている前記任意の撮影画像データに基づく画像を前記表示部に表示させる。
【００１３】
本発明の画像管理装置は、前記管理用画像データを、該管理用画像データに基づいて複数の領域に分割する領域分割手段を備え、前記領域指定手段が、前記領域分割手段によって分割された前記複数の領域から選択された領域を、前記所定の領域として指定する。
【００１４】
本発明の画像管理装置は、前記領域分割手段が、前記管理用画像データに基づく画像に含まれる色を認識し、該色にしたがって前記管理用画像データを領域分割する。
【００１５】
本発明の画像管理装置は、前記領域分割手段が、前記管理用画像データに基づく画像のエッジを認識し、該エッジにしたがって前記管理用画像データを領域分割する。
【００１６】
本発明の画像管理方法は、記録媒体に記録された撮影画像データを管理する画像管理方法であって、画像管理用の撮影画像データとして指定された管理用画像データから所定の領域を指定する領域指定ステップと、前記領域指定手段によって指定された領域を特定するための領域特定情報を生成する領域特定情報生成ステップと、前記領域特定情報を前記管理用画像データと対応付けて記録する第一の記録ステップと、前記管理用画像データ以外の任意の撮影画像データに、指定された前記領域特定情報を対応付けて記録する第二の記録ステップと、前記記録媒体に記録された撮影画像データに基づく画像を表示部に表示させる制御を行う制御ステップと、を備え、前記制御ステップでは、前記表示部で表示中の画像が前記管理用画像データ以外の撮影画像データに基づく画像であり、且つ、該撮影画像データに前記領域特定情報が対応付けられており、且つ、該領域特定情報に対応する前記管理用画像データに基づく画像の表示指示がなされた場合に、該管理用画像データに基づく画像の該領域特定情報で特定される領域を強調した画像を前記表示部に表示させる。
【００１７】
本発明の画像管理方法は、前記制御ステップでは、前記表示部に表示中の画像が前記管理用画像データに基づく画像であり、且つ、該管理用画像データに対応付けられている前記領域特定情報のいずれかが指定された場合に、該指定された領域特定情報が対応付けられている前記任意の撮影画像データに基づく画像を前記表示部に表示させる。
【００２０】
本発明の画像管理方法は、前記管理用画像データを、該管理用画像データに基づいて複数の領域に分割する領域分割ステップを備え、前記領域指定ステップでは、前記領域分割ステップによって分割された前記複数の領域から選択された領域を、前記所定の領域として指定する。
【００２１】
本発明の画像管理方法は、前記領域分割ステップでは、前記管理用画像データに基づく画像に含まれる色を認識し、該色にしたがって前記管理用画像データを領域分割する。
【００２２】
本発明の画像管理方法は、前記領域分割ステップでは、前記管理用画像データに基づく画像のエッジを認識し、該エッジにしたがって前記管理用画像データを領域分割する。
【発明の効果】
【００２５】
本発明によれば、大きなデータベースを持つことなく画像データを効率よく管理することが可能な画像管理装置を提供することができる。
【発明を実施するための最良の形態】
【００２６】
以下、本発明の実施形態について図面を参照して説明する。
【００２７】
（第一実施形態）
図１は、本発明の第一実施形態を説明するための撮像装置の一例であるデジタルカメラの概略構成を示す図である。
図示するデジタルカメラの撮像系は、撮影レンズ１と、固体撮像素子５と、この両者の間に設けられた絞り２と、赤外線カットフィルタ３と、光学ローパスフィルタ４とを備える。
【００２８】
デジタルカメラの電気制御系全体を統括制御するシステム制御部１１は、フラッシュ発光部１２及び受光部１３を制御し、レンズ駆動部８を制御して撮影レンズ１の位置をフォーカス位置に調整したりズーム調整を行ったりし、絞り駆動部９を介し絞り２の開口量を制御して露光量調整を行う。
【００２９】
又、システム制御部１１は、撮像素子駆動部１０を介して固体撮像素子５を駆動し、撮影レンズ１を通して撮像した被写体画像を色信号として出力させる。システム制御部１１には、操作部１４を通してユーザからの指示信号が入力される。
【００３０】
デジタルカメラの電気制御系は、更に、固体撮像素子５の出力に接続された相関二重サンプリング処理等のアナログ信号処理を行うアナログ信号処理部６と、このアナログ信号処理部６から出力されたＲＧＢの色信号をデジタル信号に変換するＡ／Ｄ変換回路７とを備え、これらはシステム制御部１１によって制御される。
【００３１】
更に、このデジタルカメラの電気制御系は、メインメモリ１６と、メインメモリ１６に接続されたメモリ制御部１５と、補間演算やガンマ補正演算，ＲＧＢ／ＹＣ変換処理等を行って撮影画像データを生成するデジタル信号処理部１７と、デジタル信号処理部１７で生成された撮影画像データをＪＰＥＧ形式に圧縮したり圧縮画像データを伸張したりする圧縮伸張処理部１８と、測光データを積算しデジタル信号処理部１７が行うホワイトバランス補正のゲインを求める積算部１９と、着脱自在の記録媒体２１が接続される外部メモリ制御部２０と、カメラ背面等に搭載された液晶表示素子等の表示部２３が接続される表示制御部２２とを備え、これらは、制御バス２４及びデータバス２５によって相互に接続され、システム制御部１１からの指令によって制御される。
【００３２】
システム制御部１１は、領域指定部１１ａと、領域特定情報生成部１１ｂと、記録部１１ｃと、制御部１１ｄとを有し、これら各部は、図示しないＲＯＭに格納されたプログラムをシステム制御部１１内のプロセッサが実行することで実現される機能である。
【００３３】
領域指定部１１ａは、画像管理用の撮影画像データとして指定された管理用画像データから所定の領域を指定する。領域指定部１１ａは、操作部１４から行われた領域の指定操作にしたがって、領域を指定する。
【００３４】
領域特定情報生成部１１ｂは、領域指定部１１ａによって指定された領域を特定するための領域特定情報を生成する。領域特定情報とは、例えば管理用画像データ上のどこの領域かを示す座標情報である。
【００３５】
記録部１１ｃは、上記領域特定情報を管理用画像データと対応付けて記録媒体２１に記録したり、管理用画像データ以外の任意の撮影画像データに、指定された領域特定情報を対応付けて記録媒体２１に記録したりする。
【００３６】
制御部１１ｄは、記録媒体２１に記録された撮影画像データに基づく画像を表示部２３に表示させる制御を行う。
【００３７】
以下、本実施形態のデジタルカメラの管理用画像データを生成するときの動作について説明する。
図２は、本発明の第一実施形態のデジタルカメラにおいて管理用画像データを生成する際の動作フローを示す図である。図３は、管理用画像データ生成時の動作を説明するための図である。図４は、管理用画像データの生成を完了した結果記録される管理用画像データフォルダのデータ構成を示した図である。
【００３８】
まず、ユーザは、記録媒体２１に記録されている撮影画像データの中から、管理用画像データとしたい撮影画像データを選択する。ここでは、例えば、ユーザの自宅の下駄箱をデジタルカメラにより撮影して得られた撮影画像データが記録媒体２１に記録されており、この撮影画像データを管理用画像データとしてユーザが選択するものとする。
【００３９】
ユーザが、撮影画像データの中から管理用画像データとしたい撮影画像データを選択し、その撮影画像データ（以下、管理用画像データという）の再生指示を行うと、制御部１１ｄが、選択された管理用画像データに基づく画像（図３に示すように、靴箱３０が９つしまってある下駄箱の画像）を表示部２３に表示させる制御を行う（ステップＳ１）。この制御により、記録媒体２１に記録されていた管理用画像データが圧縮伸張処理部１８で伸張され、伸張された管理用画像データに基づく画像が表示制御部２２を介して表示部２３に表示される。
【００４０】
次に、システム制御部１１は、管理用画像に対して領域を指定するか否かをユーザに問い合わせる。ユーザが、例えば図３に示すように、カーソル３１を移動させて、左上の靴箱３０を含む領域を指定する指示を行うと（ステップＳ２：ＹＥＳ）、領域指定部１１ａが、その指示に応じて該領域を指定する（ステップＳ３）。尚、領域の指定は、キー操作により行っても良いし、タッチパネルを設けて、タッチパネルの操作により指定しても良い。
【００４１】
次に、領域特定情報生成部１１ｂが、ステップＳ３で指定された領域を特定するための情報として、管理用画像データにおける該領域の座標を示す座標情報を生成する（ステップＳ４）。次に、記録部１１ｃが、ステップＳ４で生成された座標情報を、管理用画像データと対応付けて記録媒体２１に記録する（ステップＳ５）。記録部１１ｃは、例えば、記録媒体２１に管理用画像データフォルダを作成し、このフォルダの中に、管理用画像データと、ステップＳ４で生成された座標情報とを記録していく。
【００４２】
次に、システム制御部１１は、管理用画像データの生成を終了するか否かをユーザに問い合わせ、管理用画像データの生成を終了する指示があった場合（ステップＳ６：ＹＥＳ）には処理を終了し、指示がなかった場合（ステップＳ６：ＮＯ）にはステップＳ２に処理を戻して動作を継続する。ステップＳ２で領域指定を行わない指示がなされた場合（ステップＳ２：ＮＯ）、システム制御部１１はステップＳ６に処理を移行する。
【００４３】
ユーザが９つの靴箱３０の各々を含む９つの領域を指定する操作を行うことで、記録媒体２１には、図４に示すようなデータが記録される。図４に示す管理用画像データフォルダには、管理用画像データと、それに対応付けられる９つ座標情報とが格納されている。
【００４４】
次に、上述した流れで作成した管理用画像データに、撮影画像データを対応付けて記録していく際の動作について説明する。
図５は、本発明の第一実施形態のデジタルカメラでの撮影時の動作フローを示す図である。
ユーザにより撮影指示が行われると、システム制御部１１は、撮像素子駆動部１０を制御して固体撮像素子５により被写体（ここでは、図３の下駄箱の左上にある靴箱３０に入っている靴とする）を撮影する（ステップＳ１１）。次に、システム制御部１１は、記録媒体２１に管理用画像データが記録されているか否かを判定する（ステップＳ１２）。
【００４５】
記録媒体２１に管理用画像データが記録されていなかった場合（ステップＳ１２：ＮＯ）、記録部１１ｃは、ステップＳ１１の撮影によって生成された撮影画像データを記録媒体２１にそのまま記録する（ステップＳ１７）。
【００４６】
記録媒体２１に管理用画像データが記録されていた場合（ステップＳ１２：ＹＥＳ）、システム制御部１１は、ステップＳ１１の撮影によって生成された撮影画像データに属性情報（座標情報）を付加するか否かをユーザに問い合わせる。
【００４７】
属性情報を付加しない指示がなされた場合（ステップＳ１３：ＮＯ）、ステップＳ１７へと処理が移行される。属性情報を付加する指示がなされた場合（ステップＳ１３：ＹＥＳ）、制御部１１ｄは、記録媒体２１に記録されている管理用画像データに基づく管理用画像を表示部２３に表示させる（ステップＳ１４）。尚、管理用画像データが複数あった場合には、ユーザにいずれかを選択させ、選択された管理用画像データに基づく管理用画像を表示部２３に表示させるようにすれば良い。又、ステップＳ１４では、図６に示すように、管理用画像データに対応する９つの座標情報で特定される９つの領域３３を、管理用画像上に合成して表示する。
【００４８】
次に、ユーザが、表示部２３に表示されている９つの領域３３の中から、ステップＳ１１で撮影した靴の入っていた靴箱３０を含む領域３３を選択すると（ステップＳ１５）、記録部１１ｃは、選択された領域３３の座標情報を記録媒体２１から読み出し、この座標情報と、ステップＳ１１で撮影して得られた撮影画像データとをそれぞれ対応付けて、記録媒体２１に記録する（ステップＳ１６）。
【００４９】
以上のような操作を繰り返すことで、ユーザは、下駄箱内の各靴箱の位置と、その靴箱内の靴の撮影画像データとを対応付けて記録しておくことができる。
【００５０】
尚、以上の説明では、撮影時にステップＳ１２〜Ｓ１６の処理を行うものとしたが、撮影画像データの再生時に、ステップＳ１２〜Ｓ１６の処理を行うようにしても良い。
【００５１】
次に、記録媒体２１に記録されている画像データ（撮影画像データ及び管理用画像データ）を再生する際の動作について説明する。
図７は、本発明の第一実施形態のデジタルカメラの再生時の動作フローを示す図である。図８，９は、本発明の第一実施形態のデジタルカメラの再生時の画面遷移例を示す図である。
【００５２】
再生モードに設定されると、制御部１１ｄが、記録媒体２１に記録されている撮影画像データ（管理用画像データを含む）に基づく画像を表示部２３に表示させる（ステップＳ２１）。次に、システム制御部１１は、表示されている画像が管理用画像データに基づく管理用画像かどうか判定する（ステップＳ２２）。
【００５３】
表示画像が管理用画像であった場合（この場合は図８の一番上の図のように、下駄箱の画像と共に、その画像に対応する領域３３が破線で表示されるものとする）、システム制御部１１は、領域３３を選択するか否かをユーザに問い合わせる。図８の真ん中の図に示したように、操作部１４が操作されてユーザにより任意の領域３３がカーソル３４で選択されると（ステップＳ２３：ＹＥＳ）、制御部１１ｄは、図８の下の図に示したように、選択された領域３３の座標情報が対応付けて記録されている撮影画像データに基づく撮影画像を表示部２３に表示させる（ステップＳ２４）。
【００５４】
尚、制御部１１ｄが、ステップＳ２４において、撮影画像だけではなく、図８の中段に示した領域選択後の管理用画像を併せて表示させるようにしても良い。例えば、画面を２分割して、一方の画面に図８の中段に示す画像を表示させ、他方の画面に図８の下段に示す画像を表示させるようにしたり、図８の中段に示す画像に、図８の下段に示す画像を縮小した画像を合成して表示させるようにしたりすれば良い。このようにした場合、ユーザは、管理用画像を表示させて、その管理用画像上でカーソルを動かして領域３３を選択していくだけで、表示させる撮影画像を順次切り替えていくことができ、利便性が向上する。
【００５５】
表示画像が管理用画像でなかった場合（この場合は、例えば図９の上の図のように撮影画像が表示されているものとする）、システム制御部１１は、表示中の撮影画像の生成元の撮影画像データに属性情報が対応付けられているか否かを判定する（ステップＳ２５）。
【００５６】
属性情報が対応付けられていた場合（ステップＳ２５：ＹＥＳ）、システム制御部１１は、該属性情報が対応付けられている管理用画像データに基づく管理用画像を表示するか否かをユーザに問い合わせる（ステップＳ２６）。例えば、図９の上の図に示すように、撮影画像上に“管理用画像を見る”というアイコンを表示させる。
【００５７】
操作部１４の操作によって上記アイコンが選択されて、管理用画像を表示する指示が行われると（ステップＳ２６：ＹＥＳ）、制御部１１ｄは、指示された管理用画像を表示部２３に表示させる。管理用画像を表示させる際、制御部１１ｄは、ステップＳ２１で再生中の撮影画像データに対応付けられている座標情報で示される領域３３を強調させて表示させる（図９の下段の図参照）。
【００５８】
尚、制御部１１ｄが、ステップＳ２７において、管理用画像だけではなく、図９の上段に示した撮影画像を併せて表示させるようにしても良い。例えば、画面を２分割して、一方の画面に図９の上段に示す画像を表示させ、他方の画面に図９の下段に示す画像を表示させるようにしたり、図９の上段に示す画像に、図９の下段に示す画像を縮小した画像を合成して表示させるようにしたりすれば良い。このようにすることで、どの靴箱にどの靴が入っているのかを瞬時に把握することができ、利便性が向上する。
【００５９】
又、管理用画像を表示する指示があったときだけ管理用画像を表示させるのではなく、属性情報がある撮影画像データについては、管理用画像を無条件で表示させるようにしても良い。例えば、ステップＳ２１で画像を表示する前に、表示すべき撮影画像データに属性情報が付加されているか否かを判定し、属性情報が付加されていた場合には、撮影画像データに基づく画像と、その属性情報が対応付けられている管理用画像データに基づく画像とを合わせて表示するようにすれば良い。
【００６０】
以上のように、本実施形態のデジタルカメラによれば、任意の撮影画像データから管理用画像データを生成することができるため、制限のかからない画像管理を実現することができ、利便性が向上する。又、あらゆるユーザの要望を満たすことのできる数の管理用画像データをデジタルカメラ内に持っておく必要がないため、メモリ容量の削減が可能となる。
【００６１】
靴を靴箱に入れて下駄箱にしまってしまうと、履きたい靴がどの靴箱に入っているのかを調べるのに手間と時間がかかってしまう。そこで、本実施形態のデジタルカメラを利用することで、履きたい靴の在り処を瞬時に知ることができ、上記手間や時間がかかることに不満を持っていたユーザの要望に応えた商品を提供することができる。
【００６２】
尚、本実施形態では、「靴と靴箱」を例にして説明したが、この他にも、「服とタンス」、「本と本棚」、「写真と地図」等のように、様々な管理の仕方が可能である。
【００６３】
（第二実施形態）
図１０は、本発明の第二実施形態を説明するための撮像装置の一例であるデジタルカメラの概略構成を示す図である。図１０において図１と同様の構成には同一符号を付してある。図１０に示すデジタルカメラは、図１に示すデジタルカメラのシステム制御部１１に、色認識部１１ｅと領域分割部１１ｆを追加した構成となっている。
【００６４】
色認識部１１ｅは、管理用画像データに基づく画像に含まれる色を認識する。
【００６５】
領域分割部１１ｆは、色認識部１１ｅで認識された色にしたがって管理用画像データを複数の領域に分割する。例えば、都道府県毎に色分けされた日本地図があり、この日本地図を撮影して得られる撮影画像データを管理用画像データとして選択した場合には、この日本地図の色が色認識部１１ｅにより認識され、領域分割部１１ｆが、同一の色が塗られている領域を１領域として認識し、日本地図を複数の領域に分割する。
【００６６】
以下、管理用画像データを生成するときのデジタルカメラの動作について説明する。
図１１は、本発明の第二実施形態のデジタルカメラにおいて管理用画像データを生成する際の動作フローを示す図である。図１１において図２と同様の処理ステップには同一符号を付してある。
【００６７】
ユーザが、撮影画像データの中から管理用画像データとしたい撮影画像データを選択し、その撮影画像データ（以下、管理用画像データという）の再生指示を行うと、制御部１１ｄが、選択された管理用画像データに基づく画像（例えば色分けされた日本地図の画像）を表示部２３に表示させる制御を行う（ステップＳ１）。
【００６８】
次に、システム制御部１１は、表示中の画像から色を認識し（ステップＳ３１）、認識した色にしたがって、表示中の管理用画像データを複数の領域に分割する（ステップＳ３２）。
【００６９】
次に、システム制御部１１は、管理画像上で領域を指定するか否かをユーザに問い合わせる。ユーザが、例えばカーソルを移動させて、分割された領域のいずれかを指定する指示を行うと（ステップＳ２：ＹＥＳ）、領域指定部１１ａが、その指示に応じて該領域を指定する（ステップＳ３）。以降、ステップＳ４，Ｓ５の処理が行われる。
【００７０】
以上のように、本実施形態のデジタルカメラによれば、管理用画像データに基づく画像の色によって、管理用画像データが自動的に領域分割されるため、ユーザは分割された領域を指定する操作を行うだけでよく、操作の手間を軽減することができる。地図等、形状が複雑なものはキー操作やタッチパネル操作等によって領域の形状を指定することが難しい。そこで、本実施形態のように色認識にしたがって領域を自動的に分割することで、ユーザの負担を軽減することができる。
【００７１】
（第三実施形態）
図１２は、本発明の第三実施形態を説明するための撮像装置の一例であるデジタルカメラの概略構成を示す図である。図１２において図１と同様の構成には同一符号を付してある。図１２に示すデジタルカメラは、図１に示すデジタルカメラのシステム制御部１１に、エッジ認識部１１ｇと領域分割部１１ｈを追加した構成となっている。
【００７２】
エッジ認識部１１ｇは、管理用画像データに基づく画像に含まれるエッジを認識する。
【００７３】
領域分割部１１ｈは、エッジ認識部１１ｇで認識されたエッジにしたがって管理用画像データを複数の領域に分割する。例えば、都道府県の境界が記載された日本地図があり、この日本地図を撮影して得られる撮影画像データを管理用画像データとして選択した場合には、この日本地図に記載されている境界がエッジ認識部１１ｇにより認識され、領域分割部１１ｈが、認識されたエッジによって囲まれる領域を１領域として認識し、日本地図を複数の領域に分割する。
【００７４】
以下、管理用画像データを生成するときのデジタルカメラの動作について説明する。
図１３は、本発明の第三実施形態のデジタルカメラにおいて管理用画像データを生成する際の動作フローを示す図である。図１３において図２と同様の処理ステップには同一符号を付してある。
【００７５】
ユーザが、撮影画像データの中から管理用画像データとしたい撮影画像データを選択し、その撮影画像データ（以下、管理用画像データという）の再生指示を行うと、制御部１１ｄが、選択された管理用画像データに基づく画像を表示部２３に表示させる制御を行う（ステップＳ１）。
【００７６】
次に、システム制御部１１は、表示中の画像からエッジを認識し（ステップＳ４１）、認識したエッジにしたがって、表示中の管理用画像データを複数の領域に分割する（ステップＳ４２）。
【００７７】
次に、システム制御部１１は、管理画像上で領域を指定するか否かをユーザに問い合わせる。ユーザが、例えばカーソルを移動させて、分割された領域のいずれかを指定する指示を行うと（ステップＳ２：ＹＥＳ）、領域指定部１１ａが、その指示に応じて該領域を指定する（ステップＳ３）。以降、ステップＳ４，Ｓ５の処理が行われる。
【００７８】
以上のように、本実施形態のデジタルカメラによれば、管理用画像データに基づく画像のエッジによって、管理用画像データが自動的に領域分割されるため、ユーザは分割された領域を指定する操作を行うだけでよく、操作の手間を軽減することができる。地図等、形状が複雑なものはキー操作やタッチパネル操作等によって領域の形状を指定することが難しい。そこで、本実施形態のようにエッジ認識にしたがって領域を自動的に分割することで、ユーザの負担を軽減することができる。本実施形態の場合、色がついていない被写体でも領域分割を自動的に行うことができ、第二実施形態の場合よりも利便性が向上する。
【００７９】
尚、第一実施形態〜第三実施形態では、システム制御部１１が行う各処理ステップを、デジタルカメラ内で実行するものとしているが、この各処理ステップをデジタルカメラとは別のコンピュータ内のプロセッサによって実行させても良い。例えば、デジタルカメラで撮影した撮影画像データをコンピュータ内の記録媒体に移した後、コンピュータによって画像管理プログラムを実行すると、プロセッサが上記各処理ステップを実行するようにすれば良い。
【図面の簡単な説明】
【００８０】
【図１】本発明の一実施形態を説明するための撮像装置の一例であるデジタルカメラの概略構成を示す図
【図２】本発明の第一実施形態のデジタルカメラにおいて管理用画像データを生成する際の動作フローを示す図
【図３】管理用画像データ生成時の動作を説明するための図
【図４】管理用画像データの生成を完了した結果記録される管理用画像データフォルダのデータ構成を示した図
【図５】本発明の第一実施形態のデジタルカメラでの撮影時の動作フローを示す図
【図６】管理用画像の表示画面例を示す図
【図７】本発明の第一実施形態のデジタルカメラの再生時の動作フローを示す図
【図８】本発明の第一実施形態のデジタルカメラの再生時の画面遷移例を示す図
【図９】本発明の第一実施形態のデジタルカメラの再生時の画面遷移例を示す図
【図１０】本発明の第二実施形態を説明するための撮像装置の一例であるデジタルカメラの概略構成を示す図
【図１１】本発明の第二実施形態のデジタルカメラにおいて管理用画像データを生成する際の動作フローを示す図
【図１２】本発明の第三実施形態を説明するための撮像装置の一例であるデジタルカメラの概略構成を示す図
【図１３】本発明の第三実施形態のデジタルカメラにおいて管理用画像データを生成する際の動作フローを示す図
【符号の説明】
【００８１】
２１  記録媒体
１１  システム制御部
１１ａ  領域指定部
１１ｂ  領域特定情報生成部
１１ｃ  記録部
１１ｄ  制御部
【図１】
0004929135.tif 000002
【図２】
0004929135.tif 000003
【図３】
0004929135.tif 000004
【図４】
0004929135.tif 000005
【図５】
0004929135.tif 000006
【図６】
0004929135.tif 000007
【図７】
0004929135.tif 000008
【図８】
0004929135.tif 000009
【図９】
0004929135.tif 000010
【図１０】
0004929135.tif 000011
【図１１】
0004929135.tif 000012
【図１２】
0004929135.tif 000013
【図１３】
0004929135.tif 000014